(57)【要約】【課題】カレンダーの毎月の進行とともに、当該月に対応して、何らかの特典が規定されていて、カレンダーの使用者は当該特典という特別な利益を享有することができ、あわせて企業等の宣伝広告効果を図ることができる斬新な訴求効果をもった卓上カレンダーを提供する。【解決手段】各月１葉の独立したカードを含む卓上カレンダーであって、カレンダーには、特定の業務者の表示部が形成されているとともに、各月カードの縁部には持参者に対して業務者による特定の特典を受けることができる特典券部が切り取り可能に形成され、特典券部に、当該月に持参者が受けることができる特典の内容と業務者の表示部が形成され、特典券部が各月カードの対応する同一位置に形成されていて、当月カードの特典券部が切り取られた場合には他の月カードの特典券部が現出し、特典券部が各月カードの下縁部に少なくとも両側部を脚部として残すように切り取り可能に形成されている。【選択図】図１
0003180062.tif 000002
【実用新案登録請求の範囲】
【請求項１】
各月１葉の独立したカードを含む卓上カレンダーであって、
前記カレンダーには、特定の業務者の表示部が形成されているとともに、前記各月カードの縁部には持参者に対して前記業務者による特定の特典を受けることができる特典券部が切り取り可能に形成されていることを特徴とする卓上カレンダー。
【請求項２】
前記特典券部に、当該月に持参者が受けることができる特典の内容と前記業務者の表示部が形成されている請求項１に記載の卓上カレンダー。
【請求項３】
前記特典券部が、前記各月カードの対応する同一位置に形成されていて、当月カードの特典券部が切り取られた場合には他の月カードの特典券部が現出するように構成されている請求項１又は２に記載の卓上カレンダー。
【請求項４】
前記特典券部が、前記各月カードの下縁部に少なくとも両側部を脚部として残すように切り取り可能に形成されている請求項１ないし３のいずれかに記載の卓上カレンダー。
【請求項５】
前記特典券部の特定の特典が、金額の割引、物品若しくはサービスの追加、ポイント付加又は抽選券である請求項１ないし４のいずれかに記載の卓上カレンダー。
【請求項６】
前記特定の業務者の業種が、物品の販売、宿泊施設の提供、飲食物の提供、美容・理容、入浴施設の提供、運動施設の提供、娯楽施設の提供のいずれかである請求項１ないし５のいずれかに記載の卓上カレンダー。
【考案の詳細な説明】
【技術分野】
【０００１】
この考案は卓上カレンダーに関し、特にはクーポン等の特典券が付された卓上カレンダーに関する。
【背景技術】
【０００２】
従来のデスクや棚の上に配置されて使用される卓上カレンダーは、日付表示部の余白等に日々のスケジュール等を書き込み使用するものである（例えば、特許文献１参照）。この卓上カレンダーは、大版な壁掛けカレンダーとは異なり、机等の台上に載置されて使用するものであるから、その大きさは台上にて邪魔にならない小型のもの限定される。一方において小型な卓上カレンダーは、持ち回しがいいことから、個人的なスケジュールを記入したり日常的に身の回りに配置されることが多い。
【０００３】
また、このような卓上カレンダーの利点を生かして、企業や商品の販売促進等の宣伝を行う媒体として用いられることも多い。しかし、既存のこの種商業用カレンダーでは、単なる商品の宣伝や広告表示にとどまっており、目新しさがなく、インパクトに欠ける。そこで、卓上カレンダーを使用する者が、当該カレンダーとともに、従来とは異なる新しい価値を得ることができるような、斬新なものが望まれていた。
【先行技術文献】
【特許文献】
【０００４】
【特許文献１】登録実用新案第３１７３４３０号公報
【考案の概要】
【考案が解決しようとする課題】
【０００５】
この考案は、このような点に鑑み提案されたものであって、カレンダーの毎月の進行とともに、当該月に対応して、何らかの特典が規定されていて、カレンダーの使用者は当該特典という特別な利益を享有することができ、あわせて企業等の宣伝広告効果を図ることができる斬新な訴求効果をもった卓上カレンダーを提供するものである。
【課題を解決するための手段】
【０００６】
すなわち、請求項１の考案は、各月１葉の独立したカードを含む卓上カレンダーであって、前記カレンダーには、特定の業務者の表示部が形成されているとともに、前記各月カードの縁部には持参者に対して前記業務者による特定の特典を受けることができる特典券部が切り取り可能に形成されていることを特徴とする卓上カレンダー係る。
【０００７】
請求項２の考案は、前記特典券部に、当該月に持参者が受けることができる特典の内容と前記業務者の表示部が形成されている請求項１に記載の卓上カレンダーに係る。
【０００８】
請求項３の考案は、前記特典券部が、前記各月カードの対応する同一位置に形成されていて、当月カードの特典券部が切り取られた場合には他の月カードの特典券部が現出するように構成されている請求項１又は２に記載の卓上カレンダーに係る。
【０００９】
請求項４の考案は、前記特典券部が、前記各月カードの下縁部に少なくとも両側部を脚部として残すように切り取り可能に形成されている請求項１ないし３のいずれかに記載の卓上カレンダーに係る。
【００１０】
請求項５の考案は、前記特典券部の特定の特典が、金額の割引、物品若しくはサービスの追加、ポイント付加又は抽選券である請求項１ないし４のいずれかに記載の卓上カレンダーに係る。
【００１１】
請求項６の考案は、前記特定の業務者の業種が、物品の販売、宿泊施設の提供、飲食物の提供、美容・理容、入浴施設の提供、運動施設の提供、娯楽施設の提供のいずれかである請求項１ないし５のいずれかに記載の卓上カレンダーに係る。
【考案の効果】
【００１２】
請求項１の考案に係る卓上カレンダーは、各月１葉の独立したカードを含む卓上カレンダーであって、前記カレンダーには、特定の業務者の表示部が形成されているとともに、前記各月カードの縁部には持参者に対して前記業務者による特定の特典を受けることができる特典券部が切り取り可能に形成されていることから、カレンダーの使用者は特典券部を切り取り持参することにより、当該特典という特別な利益を享有することができる。一方の企業等の特定業務者はその業務活動が促進され、高い宣伝広告効果を得ることができる。
【００１３】
請求項２の考案は、請求項１において、前記特典券部に、当該月に持参者が受けることができる特典の内容と前記業務者の表示部が形成されていることから、特典券部を切り離した場合にも、業務者の名称や特典内容が把握でき、便宜でありかつ明確である。
【００１４】
請求項３の考案は、請求項１又は２において、前記特典券部が、前記各月カードの対応する同一位置に形成されていて、当月カードの特典券部が切り取られた場合には他の月カードの特典券部が現出するように構成されているため、当月カードを切り取った時の見栄えがよく、また翌月の特典内容を、当月カードをめくることなく知ることできる。
【００１５】
請求項４の考案は、請求項１ないし３において、前記特典券部が、前記各月カードの下縁部に少なくとも両側部を脚部として残すように切り取り可能に形成されているため、特典券部を切り取った場合にも、カードが下がることがなく見栄えが良い。
【００１６】
請求項５の考案は、請求項１ないし４において、前記特典券部の特定の特典が、金額の割引、物品若しくはサービスの追加、ポイント付加又は抽選券であることから、持参者は業務者の提供する特典を受けることができる。
【００１７】
請求項６の考案は、請求項１ないし５において、前記特定の業務者の業種が、物品の販売、宿泊施設の提供、飲食物の提供、美容・理容、入浴施設の提供、運動施設の提供、娯楽施設の提供のいずれかであることから、一般消費者への特典が提供しやすく、有利である。
【図面の簡単な説明】
【００１８】
【図１】この考案の一実施例に係る卓上カレンダーの斜視図である。
【図２】カードから特典券部を切り取った状態の卓上カレンダーの正面図である。
【図３】この考案の各月カードの具体例を示す正面図である。
【図４】特典券部が右縁部に配置されたカードをを示す正面図である。
【図５】特典券部が上縁部に配置されたカードをを示す正面図である。
【考案を実施するための形態】
【００１９】
本考案の卓上カレンダー１０は、各月１葉の独立したカード２０を含む。図１に示す一実施例の卓上カレンダー１０は、各月カード２０を支持部５１を備えたケース部材５０に挿入して使用する構成となっている。図１のケース部材５０は背面に支持部５１を有し、前面の係止部５２によりカードを抑える構成となっている。図示しないが、前面すべてを覆うカバー部を有する構成としてもよい。カレンダーは通常は１月から始まるが、必要により４月又は９月から始まるものでもよく、また必ずしも１２月ではなく、半年又はキャンペーン等の限定期間でもよい。なお、この考案の卓上カレンダーは宣伝広告用の無償配布であってもよいが、より有利な特典を付与して有償販売としてもよい。有償販売の場合には、購入者が「お得感」を感ずるような特典及びカレンダー代金とすることが望ましい。
【００２０】
図１に示すように、各月カード２０には、日付が書かれた日付表示部２４が備えられ、特定の業務者の表示部３１が形成される。各月カード２０の縁部には特典券部３０が切り取り可能に形成されている。特典券部３０は各月カード２０から切り離される。そして、特定の業務者に持参することにより、持参者は特典を受けることができる。該特典券部３０には、持参者が受けることができる特典の内容と業務者の表示部３１が形成されている。特典券部３０の表示部３１に特典の内容と業務者が表示されるため、持参者は切り取った特典券部３０をみることによって特典の内容と特典を受けることができる業務者を確認することができる。特典券部３０は、ハサミで切り取るほか、特典券部３０の切り取り辺部３２をミシン目とすることにより、ハサミを使わずに切り取ることができる構成としてもよい。なお、各月カード２０の裏面には当該月の季節に応じた料理レシピや候のことば、旬の野菜、魚、兆し、行事等の歳時記、その他の記載を行うことは自由である。
【００２１】
さらに、特典券部３０は各月カード２０の対応する同一位置に形成されている。図２に示すように、特典券部３０を切り取られた当月カード２１の後ろに配置される他の月カードの特典券部が出現する。翌月カード２２を当月カード２１の後ろに並べて挿入すると、当月の特典券部３０を切り取った場合であっても、当月カード２１を前面に配したまま翌月の特典券部３０１が現出し、翌月の特典を把握することができる。
【００２２】
また、図２に示すように、特典券部３０を切り取った場合に、各月カード２０の下縁部２５の両側部２６が脚部２９として残る構成とすることができる。当月カード２１から特典券部３０が切り取られた後でも、脚部２９がケース部材５０下端に当接して当月カード２１を支持し、当月カード２１が下に落ち込むことがないため、後ろのカードとの高さが均一であり見栄えがいい。
【００２３】
特典券部３０により提供される特定の特典は、金額の割引や、物品もしくはサービスの追加、ポイント付加又は抽選券等が挙げられる。これらの表記がされた特典券部を持参することにより、持参者は表記の特典を受けることができる。また、特典券部に表記される特典を提供する特定の業務者の業種は、各種物品の販売、宿泊施設の提供、飲食物の提供、美容・理容、入浴施設の提供、運動施設の提供、娯楽施設の提供等である。
【００２４】
図３に示すように、各月カード２０にはそれぞれ異なる特典を受けることができるべく、各月ごとの特典券部３０が形成されている。各月ごとの特典が特典券部３０に表示されており、特典を提供する特定の業務者は複数でも単数でもよい。持参者に対して特典を提供することにより、特典を提供した業務者は宣伝広告効果を得ることができ、集客を見込むことができる。特に、カレンダーの利用者は毎日カレンダーを見るため、業務者の広告やその特典を常時認識させることができる。
【００２５】
また、図１ないし３に示す実施例においては特典券部３０は下縁部２５に形成されているが、図４に示すように、左右の端縁部２７に特典券部３０が配置されたカード２０Ｂや、図５に示すように、上縁部２８に特典券部３０が配置されたカード２０Ｃとしてもよい。
【符号の説明】
【００２６】
１０    卓上カレンダー
２０    カード
２５    下縁部
２６    両側部
２９    脚部
３０    特典券部
３１    表示部
３２    切り取り辺部
５０    ケース部材
【図１】
0003180062.tif 000003
【図２】
0003180062.tif 000004
【図３】
0003180062.tif 000005
【図４】
0003180062.tif 000006
【図５】
0003180062.tif 000007